(57)【要約】【課題】温度や湿度の変化等によって木製トラス材に誤差が生じたとしても、グローブジョイントに対し緩みを生ずることなく緊締することが可能で、増し締めすることもでき、骨組みにガタつきを生ずることがないトラス骨組部材を提供することを課題とする。【解決手段】木製のトラス材１と、トラス材１の端面に穿設される挿入孔に挿入固定される棒状金物２と、２つのボルトを有していて、その一方のボルトが棒状金物２に形成されるメネジ孔９にネジ込まれることによってトラス材１の端面に固定され、他方のボルトがグローブジョイントにネジ込まれることによって、トラス材１をグローブジョイントに接合する接合金具３とから成り、トラス材１にドリフトピン８を打ち込むためのピン孔６が挿入孔５を横に貫いて複数形成されると共に、棒状金物２にピン孔６に対応するピン孔７が形成され、棒状金物２のピン孔７はトラス材のピン孔６よりも大きく穿孔される。【選択図】図２
2008063829.tif 000002
【特許請求の範囲】
【請求項１】
木製のトラス材と、前記トラス材の端面に穿設される挿入孔に挿入固定される棒状金物と、２つのボルトを有していて、その一方のボルトが前記棒状金物に形成されるメネジ孔にネジ込まれることによって前記トラス材の端面に固定され、他方のボルトがグローブジョイントにネジ込まれることによって、前記トラス材を前記グローブジョイントに接合する接合金具とから成り、前記トラス材にドリフトピンを打ち込むためのピン孔が前記挿入孔を横に貫いて複数形成されると共に、前記棒状金物に前記ピン孔に対応するピン孔が形成され、前記棒状金物のピン孔は前記トラス材のピン孔よりも大きいことを特徴とするトラス骨組部材。
【請求項２】
前記接合金具は、前記棒状金物にネジ付けられる固定ボルトと、前記固定ボルトと一体化されていて前記トラス材の端面に当接するベースと、前記ベースに固定される筒状キャップと、ヘッドが前記キャップに係止されて前記キャップに回転自在に保持されるグローブジョイントネジ込み用の接合ボルトと、前記接合ボルトを遊挿する締込みスリーブとから成り、前記締込みスリーブには、前記接合ボルトに設置したピンを係止する長孔が形成される請求項１に記載のトラス骨組部材。
【請求項３】
前記棒状金物は丸棒状である請求項１に記載のトラス骨組部材。
【請求項４】
前記棒状金物固定用のボルトと、前記ベースと、前記キャップとが溶接により一体化される請求項１に記載のトラス骨組部材。
【請求項５】
前記棒状金物及びトラス材のピン孔は、交互に方向を違えて形成される請求項１に記載のトラス骨組部材。
【請求項６】
前記ドリフトピンに、それと前記棒状金物及び前記トラス材との隙間に接着剤を注入するための接着剤充填路が形成される請求項１に記載のトラス骨組部材。
【発明の詳細な説明】
【技術分野】
【０００１】
本発明は、トラス骨組部材、より詳細には、体育館、大型展示場、公共施設等の大空間を有するトラスドーム等の建築物を構築するための立体トラス、ラチス梁等に用いる部材で、意匠的に優れた木製トラス材を用いたトラス骨組部材に関するものである
【背景技術】
【０００２】
トラス骨組部材として、スチールパイプの両端を潰して連結用ボルト孔を形成したものがある。このトラス骨組部材は、複数、端部を重ねて連結用ボルト孔にボルトを通して連結していくものである。
【０００３】
このスチールパイプのトラス骨組部材の場合、スチールパイプがむき出しになっているため、外観美がないだけでなく、温もりを感ずることができず、むしろ寒さを覚えてしまうものである。
【０００４】
そこで、本願出願人は、温もりのある外観で見た目がよく、しかも製造容易でトラス材の破損が起こりにくい木製トラス骨組部材として、木製トラス材４１の両端面中央部に、棒材４９を充填したパイプ４４を嵌入し、パイプ４４及びトラス材４１に貫設したピン孔４３、５０同士を合わせ、そこにドラフトピン４５を打ち込んでパイプ４４をトラス材４１内に固定し、パイプ４４のトラス材４１端面からの露出部において、グローブ５２に対する固定ボルト４７を保持可能にして成る木製トラス骨組部材を提唱した（特開２００５−１７１４９８号、図７）
【０００５】
この木製トラス骨組部材の場合は、上記のとおり、予めトラス材４１の側面にドリフトピン４５を打ち込むためのピン孔４３が複数、交互に打ち込み方向を変えて穿設され、また、パイプ４４の側面には、ドリフトピン４５を打ち込むための、棒材４９を通して貫通するピン孔５０が、予め貫設される。
【０００６】
この場合、ピン孔４３とピン孔５０は、当然のことながらパイプ４４の挿入孔４２内への嵌入時に互いに合致するように設計されて穿設されるが、実際には誤差があり、それが集積されると更に大きな誤差となり、ドリフトピン４５の打込みに支障を来たす。また、温度や湿度の変化によって木材の含水率も変わり、伸縮したり反ったりするために、ピン孔４３とピン孔５０とが合致しなくなることも少なくない。そこで、ピン孔４３とピン孔５０とを大きめに穿孔しておくことも考えられるが、そのようにした場合は、骨組みのガタつき発生の原因となる。
【０００７】
【特許文献１】実開平２−２５６０２号公報
【特許文献２】特開２００５−１７１４９８号公報
【発明の開示】
【発明が解決しようとする課題】
【０００８】
本発明は上記木製トラス骨組部材における問題点を除去するためになされたもので、温度や湿度の変化等によって木製トラス材に誤差が生じたとしても、グローブジョイントに対し緩みを生ずることなく緊締することが可能で、増し締めすることもでき、骨組みにガタつきを生ずることがないトラス骨組部材を提供することを課題とする。
【課題を解決するための手段】
【０００９】
上記課題を解決するための請求項１に記載の発明は、木製のトラス材と、前記トラス材の端面に穿設される挿入孔に挿入固定される棒状金物と、２つのボルトを有していて、その一方のボルトが前記棒状金物に形成されるメネジ孔にネジ込まれることによって前記トラス材の端面に固定され、他方のボルトがグローブジョイントにネジ込まれることによって、前記トラス材を前記グローブジョイントに接合する接合金具とから成り、前記トラス材にドリフトピンを打ち込むためのピン孔が前記挿入孔を横に貫いて複数形成されると共に、前記棒状金物に前記ピン孔に対応するピン孔が形成され、前記棒状金物のピン孔は前記トラス材のピン孔よりも大きいことを特徴とする。
【００１０】
前記接合金具は、前記棒状金物にネジ付けられる固定ボルトと、前記固定ボルトと一体化されていて前記トラス材の端面に当接するベースと、前記ベースに固定される筒状キャップと、ヘッドが前記キャップに係止されて前記キャップに回転自在に保持されるグローブジョイントネジ込み用の接合ボルトと、前記接合ボルトを遊挿する締込みスリーブとから成り、前記締込みスリーブには、前記接合ボルトに設置したピンを係止する長孔が形成されるものであることが好ましい。
【００１１】
好ましくは、前記棒状金物は丸棒状であり、前記棒状金物固定用のボルトと、前記ベースと、前記キャップとが溶接により一体化され、また、前記各ピン孔は、交互に方向を違えて形成される。更に好ましくは、前記ドリフトピンに、それと前記棒状金物及び前記トラス材との隙間に接着剤を注入するための接着剤充填路が形成される。
【発明の効果】
【００１２】
本発明に係るトラス骨組部材は上記のとおりであり、殊に、棒状金物のピン孔がトラス材のピン孔よりも大きいため、ドリフトピンの打ち込みが容易で、接合金具のネジ付けに伴なって棒状金物が引き出されてガタつくことがない。従って、温度や湿度の変化等によって木製トラス材に誤差が生じたとしても、グローブジョイントに対し緩みを生ずることなく緊締することが可能で、増し締めすることもでき、骨組みにガタつきを生ずることがないという効果がある。
【発明を実施するための最良の形態】
【００１３】
本発明の好ましい実施の形態を添付図面に依拠して説明する。図１に示される本発明に係るトラス骨組部材は、トラス材１と、トラス材１に挿入される棒状金物２と、棒状金物２に連結されることによってトラス材１の端面に固定されると共に、グローブジョイント４に連結される接合金具３とから成る。
【００１４】
トラス材１は木製であって、通常四角柱であるが、他の形状、例えば、円柱、六角柱等であってもよい。トラス材１の両端面中央部には、棒状金物２をその長さ方向に嵌入するための挿入孔５が穿設される。挿入孔５の深さは、棒状金物２の長さに対応するものとされる。
【００１５】
棒状金物２は、通例鋼材、アルミニウム材その他の金属製棒材で、断面円形の場合が多いが、それに限られる訳ではない。トラス材１には、その長さ方向と直角の方向に、一側から他側に抜けるピン孔６が複数貫設される。通例、ピン孔６は、交互に方向を変えて（９０度ずらして）形成される。また、棒状金物２にも、その挿入孔２への挿入時にピン孔６に対応するように、交互に方向を変えて複数のピン孔７が貫設される（図２参照）。ピン孔７は、ピン孔６よりも大きめに形成される。棒状金物２を挿入孔５へ挿入してそこに固定する際には、ピン孔６からピン孔７を貫いてドリフトピン８が打ち込まれる。
【００１６】
通例、ドリフトピン８には、その一端面中心から長さ方向に延びる接着剤充填路１８が穿設され、その途中及び／又は末端に、横方向に分岐してピン外周面に開口する分岐路１８ａが形成される。そして、上記のようにドリフトピン８を打ち込んだ後、接着剤充填路１８に接着剤が注入される。注入された接着剤は、分岐路１８ａからドリフトピン８の周面と周囲部材との隙間に浸出し、ドリフトピン８と棒状金物２、並びに、ドリフトピン８とトラス材１とが接着され、強固に一体化される。
【００１７】
棒状金物２の一端面（両端面の場合もある）にはメネジ孔９が形成され、そこに接合金具３の固定ボルト１０がネジ込まれる。
【００１８】
接合金具３は、固定ボルト１０と一体化されていてトラス材１の端面に当接するベース１１と、ベース１１に固定されるキャップ１２と、ヘッドがキャップ１２に係止されていて締込みスリーブ１３を介して回転させられる接合ボルト１４とから成る。
【００１９】
固定ボルト１０はそのネジ杆部を突出させた状態でベース１１に溶接され、キャップ１２は固定ボルト１０のヘッドに被せるようにしてベース１１に溶接され、かくしてこれら３部品が一体化される。
【００２０】
接合ボルト１４はそのヘッドがキャップ１２内において係止され、そのネジ杆部がキャップ１２から突出した状態にて、回転自在に保持される。接合ボルト１４の突出部には締込みスリーブ１３が、回転自在に被装される。締込みスリーブ１３には、接合ボルト１４の軸方向に長い長孔１５が形成され、この長孔１５を通して接合ボルト１４のネジ杆部にピン１６が、若干長孔１５から飛び出るようにして固定される。
【００２１】
本発明に係るトラス骨組部材を組み立てるには、先ず、挿入孔５に棒状金物２を、ピン孔６とピン孔７を対応させるようにして挿入し、ピン孔６からドリフトピン８を打ち込む。ピン孔７はピン孔６よりも大きく穿孔されるため、この打ち込み作業に際しての孔合わせは容易で、当該作業を難なく行なうことができる。このようにピン孔７がピン孔６よりも大きい場合には、ドリフトピン８の打ち込み後においても、棒状金物２は挿入孔５内において若干移動可能となる。
【００２２】
次いで、キャップ３を持って固定ボルト１０を棒状金物２のメネジ孔９にネジ込んでいく。やがてベース１１が、回転しながらトラス材１の端面に軽く摺接するので、更に強くネジ込んでいくと、棒状金物２が移動可能分引き上げられて強く締まり、ベース１１がトラス材１の端面に強く当接し、キャップ３の回転が困難となる。そこで、ベース１１をネジ１７やビスにより、トラス材１の端面に完全固定する。
【００２３】
上記のようにして組み立てたトラス骨組部材は、従来のものと同様に、１つのグローブジョイント４に複数組み付け、所望の立体トラス、ラチス梁等を組み上げていく（図４、図５参照）。グローブジョイント４への組み付けに当っては、連結ボルト１４の先端をグローブジョイント４の任意のメネジ孔４ａに当てがい、締込みスリーブ１３を回転させる。それにより、締込みスリーブ１３の長孔１５に係合しているピン１６を介して連結ボルト１４が回転させられ、メネジ孔４ａにネジ込まれていく。
【００２４】
骨組みが緩んだ場合にも、同様に締込みスリーブ１３を締め上げていく。かくして、ガタつきのない確固とした立体トラス等が完成する。
【００２５】
この発明をある程度詳細にその最も好ましい実施形態について説明してきたが、この発明の精神と範囲に反することなしに広範に異なる実施形態を構成することができることは明白なので、この発明は添付請求の範囲において限定した以外はその特定の実施形態に制約されるものではない。
【図面の簡単な説明】
【００２６】
【図１】本発明に係るトラス骨組部材の構成例を示す部分断面図である。
【図２】本発明に係るトラス骨組部材の構成例を示す分解斜視図である。
【図３】本発明に係るトラス骨組部材におけるドリフトピンの構成例を示す図である。
【図４】本発明に係るトラス骨組部材における接合金具の構成例を示す斜視図である。
【図５】本発明に係るトラス骨組部材の使用状態を示す斜視図である。
【図６】本発明に係るトラス骨組部材の使用状態を示す斜視図である。
【図７】従来の木製トラス骨組部材の構成を示す縦断面図である。
【符号の説明】
【００２７】
１        トラス材
２        棒状金物
３        接合金具
４        グローブジョイント
５        挿入孔
６、７    ピン孔
８        ドリフトピン
９        メネジ孔
１０        固定ボルト
１１        ベース
１２        キャップ
１３        締込みスリーブ
１４        連結ボルト
１５        長孔
１６        ピン
１７        ネジ
１８        接着剤充填路
１８ａ      分岐路
【図１】
2008063829.tif 000003
【図２】
2008063829.tif 000004
【図３】
2008063829.tif 000005
【図４】
2008063829.tif 000006
【図５】
2008063829.tif 000007
【図６】
2008063829.tif 000008
【図７】
2008063829.tif 000009